(57)【要約】【課題】導入費用を抑えつつ、複数の携帯端末装置を効率良く充電する充電装置を提供すること。【解決手段】ＣＰＵ１１は、接続部４に接続されている携帯端末装置２それぞれの二次電池４０の残量電圧を所定の時間Ｔごとに取得する。ＣＰＵ１１は、取得された二次電池４０それぞれの残量電圧に基づいて、残量電圧に関する所定の条件を満たす一の携帯端末装置２を決定する。そして、ＣＰＵ１１は、決定した一の携帯端末装置２の二次電池４０と電力供給部３０とを電気的に接続して、一の携帯端末装置２を、他の携帯端末装置２に優先して電力供給部３０により電力を供給させ、二次電池４０を充電する。【選択図】図２
2011155755.tif 000002
【特許請求の範囲】
【請求項１】
二次電池を有する携帯端末装置が複数接続される接続部と、
前記接続部に接続されている携帯端末装置の二次電池に電力を供給して充電する電力供給部と、
前記接続部に接続されている前記携帯端末装置の前記二次電池の残量電圧を取得する取得部と、
前記取得部により取得された前記二次電池の残量電圧に基づいて、残量電圧に関する所定の条件を満たす一の携帯端末装置を決定し、決定した当該一の携帯端末装置の二次電池と前記電力供給部とを電気的に接続して、当該一の携帯端末装置の二次電池を、他の携帯端末装置に優先して前記電力供給部により電力を供給させる制御部とを備える充電装置。
【請求項２】
前記複数の携帯端末装置と所定の無線規格に準拠して無線通信を行う無線通信部を備え、
前記取得部は、前記無線通信部により前記複数の携帯端末装置それぞれにおける二次電池の残量電圧を所定の期間ごとに取得する請求項１に記載の充電装置。
【請求項３】
前記所定の条件を満たす携帯端末装置は、前記取得部により取得された前記二次電池の残量電圧のうち最も低い残量電圧が取得された二次電池を有する携帯端末装置である請求項１又は２に記載の充電装置。
【請求項４】
前記制御部は、前記所定の条件を満たす前記一の携帯端末装置に当該一の携帯端末装置が所定の機能を実行可能な電圧まで前記電力供給部により電力を供給させる請求項１から３のいずれか一項に記載の充電装置。
【請求項５】
前記制御部は、前記所定の条件を満たす前記一の携帯端末装置に当該一の携帯端末装置の二次電池が満充電になるまで前記電力供給部により電力を供給させる請求項１から３のいずれか一項に記載の充電装置。
【請求項６】
前記制御部は、前記複数の携帯端末装置それぞれが前記接続部に接続されてから接続が解除されるまでの時間と、前記取得部により取得される前記複数の携帯端末装置それぞれの二次電池の残量電圧とに基づいて前記所定の期間を変更する請求項２から５のいずれか一項に記載の充電装置。
【請求項７】
前記制御部は、前記所定の条件を満たす前記一の携帯端末装置に当該一の携帯端末装置が所定の機能を実行可能な電圧まで前記電力供給部により電力を供給させる第１のモードと、予め指定された指定期間内において、前記所定の条件を満たす前記一の携帯端末装置に前記電力供給部により電力を供給させる第２のモードと、前記所定の条件を満たす前記一の携帯端末装置に当該一の携帯端末装置の二次電池が満充電になるまで前記電力供給部により電力を供給させる第３のモードとを設定可能である請求項１から６のいずれか一項に記載の充電装置。
【請求項８】
前記制御部は、前記所定の条件を満たす前記一の携帯端末装置を充電装置により充電を行わせるための制御情報を当該一携帯端末装置に前記無線通信部により送信する請求項２に記載の充電装置。
【請求項９】
前記取得部は、前記無線通信部により前記複数の携帯端末装置それぞれにおけるユーザ情報を取得し、
前記制御部は、前記取得部により取得された前記ユーザ情報に基づいて前記所定の期間を変更する請求項２に記載の充電装置。
【請求項１０】
前記取得部は、前記接続部と前記複数の携帯端末装置との接続が解除された状態で、前記無線通信部により前記複数の携帯端末装置それぞれにおける二次電池の残量電圧を前記所定の期間ごとに取得し、
前記制御部は、前記取得部により取得された前記二次電池の残量電圧に基づいて、当該二次電池の残量電圧が所定の閾値を超えない一又は複数の携帯端末装置を決定し、決定した当該一又は複数の携帯端末装置が所定の報知を行うための情報を当該一又は複数携帯端末装置に前記無線通信部により送信する請求項９に記載の充電装置。
【発明の詳細な説明】
【技術分野】
【０００１】
本発明は、複数の携帯端末装置を充電する充電装置に関する。
【背景技術】
【０００２】
従来より、複数の携帯端末装置を一度に充電する場合に、充電ステーション等の充電装置を用いることが知られている（例えば、特許文献１及び２参照）。また、充電する携帯端末装置の数が多い場合には、携帯端末装置の数に応じた充電装置と、この充電装置に応じたテーブルタップが必要であった。
【０００３】
特許文献１には、複数の携帯端末装置を充電し、充電が完了すると、充電に係る料金を演算して表示部に表示する充電ステーションが開示されている。特許文献２には、複数の携帯端末装置を充電可能な装置が開示されている。
【先行技術文献】
【特許文献】
【０００４】
【特許文献１】特開平１０−３２６３９号公報
【特許文献２】特開２００２−０６３６４５号公報
【発明の概要】
【発明が解決しようとする課題】
【０００５】
しかし、テーブルタップは、携帯端末装置の数が多いと、この携帯端末装置の台数分充電するにはテーブルタップ自体が大型化し、これに伴い導入費用が高くなる。また、特許文献１及び２に示されるような充電装置は、高価であり、また、上述した充電装置やテーブルタップ等で多数（例えば、３０台）の携帯端末装置を充電する場合には、充電装置やテーブルタップで消費される電力が多くなってしまい、充電時の効率が悪くなるおそれがある。
【０００６】
本発明は、導入費用を抑えつつ、複数の携帯端末装置を効率良く充電する充電装置を提供することを目的とする。
【課題を解決するための手段】
【０００７】
本発明に係る充電装置は、上記課題を解決するために、二次電池を有する携帯端末装置が複数接続される接続部と、前記接続部に接続されている携帯端末装置の二次電池に電力を供給して充電する電力供給部と、前記接続部に接続されている前記携帯端末装置の前記二次電池の残量電圧を取得する取得部と、前記取得部により取得された前記二次電池の残量電圧に基づいて、残量電圧に関する所定の条件を満たす一の携帯端末装置を決定し、決定した当該一の携帯端末装置の二次電池と前記電力供給部とを電気的に接続して、当該一の携帯端末装置の二次電池を、他の携帯端末装置に優先して前記電力供給部により電力を供給させる制御部とを備えることを特徴とする。
【０００８】
また、前記充電装置は、前記複数の携帯端末装置と所定の無線規格に準拠して無線通信を行う無線通信部を備え、前記取得部は、前記無線通信部により前記複数の携帯端末装置それぞれにおける二次電池の残量電圧を所定の期間ごとに取得することが好ましい。
【０００９】
また、前記所定の条件を満たす携帯端末装置は、前記取得部により取得された前記二次電池の残量電圧のうち最も低い残量電圧が取得された二次電池を有する携帯端末装置であることが好ましい。
【００１０】
また、前記制御部は、前記所定の条件を満たす前記一の携帯端末装置に当該一の携帯端末装置が所定の機能を実行可能な電圧まで前記電力供給部により電力を供給させることが好ましい。
【００１１】
また、前記制御部は、前記所定の条件を満たす前記一の携帯端末装置に当該一の携帯端末装置の二次電池が満充電になるまで前記電力供給部により電力を供給させることが好ましい。
【００１２】
また、前記制御部は、前記複数の携帯端末装置それぞれが前記接続部に接続されてから接続が解除されるまでの時間と、前記取得部により取得される前記複数の携帯端末装置それぞれの二次電池の残量電圧とに基づいて前記所定の期間を変更することが好ましい。
【００１３】
また、前記制御部は、前記所定の条件を満たす前記一の携帯端末装置に当該一の携帯端末装置が所定の機能を実行可能な電圧まで前記電力供給部により電力を供給させる第１のモードと、予め指定された指定期間内において、前記所定の条件を満たす前記一の携帯端末装置に前記電力供給部により電力を供給させる第２のモードと、前記所定の条件を満たす前記一の携帯端末装置に当該一の携帯端末装置の二次電池が満充電になるまで前記電力供給部により電力を供給させる第３のモードとを設定可能であることが好ましい。
【００１４】
また、前記制御部は、前記所定の条件を満たす前記一の携帯端末装置を充電装置により充電を行わせるための制御情報を当該一携帯端末装置に前記無線通信部により送信することが好ましい。
【００１５】
また、前記取得部は、前記無線通信部により前記複数の携帯端末装置それぞれにおけるユーザ情報を取得し、前記制御部は、前記取得部により取得された前記ユーザ情報に基づいて前記所定の期間を変更することが好ましい。
【００１６】
また、前記取得部は、前記接続部と前記複数の携帯端末装置との接続が解除された状態で、前記無線通信部により前記複数の携帯端末装置それぞれにおける二次電池の残量電圧を前記所定の期間ごとに取得し、前記制御部は、前記取得部により取得された前記二次電池の残量電圧に基づいて、当該二次電池の残量電圧が所定の閾値を超えない一又は複数の携帯端末装置を決定し、決定した当該一又は複数の携帯端末装置が所定の報知を行うための情報を当該一又は複数携帯端末装置に前記無線通信部により送信することが好ましい。
【発明の効果】
【００１７】
本発明によれば、導入費用を抑えつつ、複数の携帯端末装置を効率良く充電する充電装置を提供することができる。
【図面の簡単な説明】
【００１８】
【図１】本発明に係る充電装置の第１実施形態である充電装置の概略図である。
【図２】第１実施形態の充電装置の内部構成を示すブロック図である。
【図３】二次電池の電気量（電池残量）と、二次電池の残量電圧との関係を示すグラフである。
【図４】充電装置及び携帯端末装置の内部構成を示す図である。
【図５】第１実施形態のＣＰＵによる標準モードの処理について示すフローチャートである。
【図６】第１実施形態のＣＰＵによる時間制限指定モードの処理について示すフローチャートである。
【図７】第１実施形態のＣＰＵによる満充電指定モードの処理について示すフローチャートである。
【図８】第２実施形態の充電装置の内部構成を示すブロック図である。
【図９】第２実施形態のＣＰＵによる標準モードの処理について示すフローチャートである。
【図１０】第２実施形態のＣＰＵによる時間制限指定モードの処理について示すフローチャートである。
【図１１】第２実施形態のＣＰＵによる満充電指定モードの処理について示すフローチャートである。
【発明を実施するための形態】
【００１９】
＜第１実施形態＞
以下、本発明の好適な実施形態について説明する。図１は、本発明に係る充電装置の第１実施形態である充電装置１の概略図である。
図１に示すように、充電装置１は、接続部４（４ａ，４ｂ，４ｃ，・・・４ｊ）と、ＬＥＤ５（５ａ，５ｂ，５ｃ，・・・５ｊ）と、切り替えスイッチ６と、ＬＥＤ７ａ，７ｂ，７ｃと、ＡＣアダプタ８とを備える。
【００２０】
以下、図１に示す接続部４及びＬＥＤ５については、代表例として接続部４ａ及びＬＥＤ５ａについて説明するが、接続部４ｂ，４ｃ，・・・４ｊ及びＬＥＤ５ｂ，５ｃ，・・・５ｊについても同様の構成である。
【００２１】
接続部４ａは、ケーブル３ａを介して携帯端末装置２ａと接続する。詳細には、ケーブル３ａの一端側が接続部４ａと接続し、ケーブル３ａの他端側が携帯端末装置２ａと接続する。
ＬＥＤ５ａは、携帯端末装置２ａの充電が開始されると点灯し、携帯端末装置２ａの充電が行われていることを報知する。そして、ＬＥＤ５ａは、携帯端末装置２ａの充電が完了、又は充電が行われていない場合には消灯する。
【００２２】
切り替えスイッチ６は、後述する標準モード、時間制限指定モード及び満充電指定モードを切り替えるスイッチである。切り替えスイッチ６は、例えば、スライドスイッチ、プッシュスイッチ等で構成される。
【００２３】
ＬＥＤ７ａ，７ｂ，７ｃは、それぞれ標準モード、時間制限指定モード及び満充電指定モードに対応して点灯する。具体的には、ＬＥＤ７ａは、切り替えスイッチ６により標準モードが選択されると、点灯し、ＬＥＤ７ｂは、切り替えスイッチ６により時間制限指定モードが選択されると、点灯し、ＬＥＤ７ｃは、切り替えスイッチ６により満充電指定モードが選択されると、点灯する。これにより、標準モード、時間制限指定モード及び満充電指定モードのうちいずれのモードが指定されているかをユーザに対して報知できる。
ＡＣアダプタ８は、外部電源と接続し、充電装置１本体に電力を供給する。
【００２４】
図２は、第１実施形態の充電装置１の内部構成を示すブロック図である。
図２に示すように、充電装置１は、接続部４（４ａ，４ｂ，４ｃ，・・・４ｊ）と、切り替えスイッチ６と、ＬＥＤ７ａ，７ｂ，７ｃと、ＡＣアダプタ８と、電源入力端子９と、コントロールＩＣ１０と、レギュレータ１９と、切替部２０と、電流検出用抵抗Ｒｄとを備える。また、ＡＣアダプタ８及び電源入力端子９は、電力供給部３０を構成する。
【００２５】
なお、以下の説明で全体の構成について説明する場合には、携帯端末装置２、接続部４、ＬＥＤ５等の表現を用い、個別の構成について説明する場合には、携帯端末装置２ａ、接続部４ａ、ＬＥＤ５ａ等の表現を用いる。
【００２６】
ＡＣアダプタ８は、正極端子８１と、負極端子８２とを有しており、電源入力端子９は、正極端子９１と、負極端子９２とを有している。そして、正極端子８１と正極端子９１とが接続し、負極端子８２と負極端子９２とが接続することで、外部電源（図示せず）からの電力が充電装置１本体に供給される。
【００２７】
レギュレータ１９は、電源入力端子９から供給された電力（電圧）が入力され、入力された電圧を一定電圧ＶＤＤに変換して、コントロールＩＣ１０に出力する。
【００２８】
コントロールＩＣ１０は、充電装置１全体を制御する回路である。コントロールＩＣ１０は、ＣＰＵ１１（取得部、制御部）と、ＲＡＭ１２と、ＲＯＭ１３と、ＡＤＣ（ＡＤコンバータ）１４と、電流用増幅器１５と、電圧用増幅器１６と、セレクタ１７と、スイッチＳＷ１２と、スイッチＳＷ１３とを備える。
【００２９】
ＲＡＭ１２には、例えば、接続部４に接続された複数の携帯端末装置２それぞれの残量電圧が電圧用増幅器１６で増幅され、ＡＤＣ１４によりデジタル変換された値が記憶される。
ＲＯＭ１３には、例えば、標準モードにおける規定電圧の情報や、生徒の下校時刻等の情報が記憶される。
【００３０】
電流用増幅器１５は、ＣＰＵ１１によりスイッチＳＷ１，ＳＷ２・・・ＳＷ１０のいずれか一つがＯＮされた状態で、電流検出用抵抗Ｒｄを流れる電流を増幅する。ＡＤＣ１４は、電流用増幅器１５により増幅された電流をデジタル変換して、ＣＰＵ１１に供給する。すなわち、ＣＰＵ１１は、電流用増幅器１５により増幅された電流の変化に基づいて、携帯端末装置２が接続部４に接続されたことを検出する。
【００３１】
電圧用増幅器１６は、複数の携帯端末装置２それぞれの残量電圧を増幅して、ＡＤＣ１４に供給する。ＡＤＣ１４は、増幅された残量電圧をデジタル変換して、ＣＰＵ１１に供給する。これにより、ＣＰＵ１１は、接続部４に接続された携帯端末装置２の二次電池４０における残量電圧を取得することができる。
【００３２】
ＣＰＵ１１は、スイッチ６が操作されて、端子１８ａと端子１８ｂとがスイッチ６により接続された場合、標準モードを設定する。同様にして、ＣＰＵ１１は、スイッチ６が操作されて、端子１８ｂと端子１８ｃとがスイッチ６により接続された場合、時間制限指定モードを設定する。また、ＣＰＵ１１は、スイッチ６が操作されて、端子１８ｃと端子１８ｄとがスイッチ６により接続された場合、満充電指定モードを設定する。
【００３３】
また、ＣＰＵ１１は、標準モードが設定されると、ＬＥＤ７ａを点灯させる。同様にして、ＣＰＵ１１は、時間制限指定モードが設定されると、ＬＥＤ７ｂを点灯させ、満充電指定モードが設定されると、ＬＥＤ７ｃを点灯させる。
【００３４】
セレクタ１７は、ＣＰＵ１１の制御に従い、切替部２０におけるスイッチＳＷ１，ＳＷ２・・・ＳＷ１０のうち、いずれか一つをＯＮ状態にする。例えば、セレクタ１７は、スイッチＳＷ１がＯＮ状態となった場合には、スイッチＳＷ１以外（ＳＷ２・・・ＳＷ１０）をＯＦＦ状態にする。なお、スイッチＷ１，ＳＷ２・・・ＳＷ１０は、初期設定では全てがＯＮ状態となる。
【００３５】
接続部４は、携帯端末装置２と接続する正極端子及び負極端子を有する。
具体的には、接続部４ａは、携帯端末装置２ａの正極端子３１と接続する正極端子４１を有し、携帯端末装置２ａの負極端子３２と接続する負極端子４２を有している。接続部４ｂ、接続部４ｃ・・・も同様の構成であり、接続部４ｂは、正極端子４３及び負極端子４４を有し、接続部４ｃは、正極端子４５及び負極端子４６を有している。
【００３６】
切替部２０は、スイッチＳＷ１，ＳＷ２，ＳＷ３・・・ＳＷ１０と、ＬＥＤ５ａ，５ｂ，５ｃ・・・５ｊと、抵抗Ｒ１，Ｒ２，Ｒ３・・・Ｒ１０とを有している。
切替部２０は、コントロールＩＣ１０（ＣＰＵ１１）の制御に従い、複数の携帯端末装置２のうち一の携帯端末装置２と接続部４とを電気的に接続して、当該一の携帯端末装置２の二次電池４０に対して電源入力端子９により電力を供給する。
【００３７】
例えば、切替部２０において、セレクタ１７によってスイッチＳＷ１がＯＮ状態にされると、電源入力端子９の正極端子９１、接続部４ａの正極端子４１及び携帯端末装置２ａの正極端子３１が導通状態となり、かつ、接続部４ａの負極端子４２及び携帯端末装置２ａの負極端子３２が導通状態となる。これにより、携帯端末装置２ａの二次電池４０ａに対して電源入力端子９により電力が供給され、二次電池４０ａが充電される。
【００３８】
また、正極端子９１及びスイッチＳＷ１を接続する信号線と、スイッチＳＷ１とセレクタ１７とを接続する信号線との間にＬＥＤ５ａ及び抵抗Ｒ１が直列に接続されているため、セレクタ１７によってスイッチＳＷ１がＯＮ状態にされると、ＬＥＤ５ａが点灯する。
【００３９】
ここで、充電装置１は、複数の携帯端末装置２を接続可能なため、例えば、学校等の多数のユーザが所有する携帯端末装置２を接続することができる。
例えば、本実施形態の充電装置１を学校で用いる場合、携帯端末装置２の二次電池４０（図４参照）における残量電圧は、満充電であることが好ましいが、最低限必要となる残量電圧は、携帯端末装置２を所有する生徒が帰宅する際に必要な量が確保されていればよい。
【００４０】
そこで、本発明者らが検討した結果、生徒が帰宅する際に必要な残量電圧は、１時間の通話と２０分のブザーの鳴動が可能な量であることがわかった。携帯端末装置２が１時間の通話に必要な電気量は、２００ｍＡ×１時間（１ｈ）＝２００ｍＡｈとなる。また、２０分のブザーの鳴動に必要な電気量は、４００ｍＡ×１／３時間（１／３ｈ）≒１３３ｍＡｈとなる。
したがって、生徒が帰宅する際に必要な電気量は、２００ｍＡｈ＋１３３ｍＡｈ＝３３３ｍＡｈとなる。
【００４１】
図３は、ＡＣアダプタ８が６００ｍＡの電流を供給する場合における二次電池４０の電気量（電池残量）と、二次電池４０の残量電圧との関係を示すグラフである。
図３に示すように、生徒が帰宅する際に必要な電気量３３３ｍＡｈでは、二次電池４０の残量電圧は、３．８Ｖとなる。つまり、生徒が帰宅する際に必要な二次電池４０の残量電圧は、３．８Ｖとなる。なお、携帯端末装置２ａの二次電池４０が満充電となったときの残量電圧は、４．２Ｖである。
【００４２】
図４は、図２における充電装置１及び携帯端末装置２ａの内部構成を示す図である。図４に示すように、携帯端末装置２ａは、正極端子２１と、負極端子２２と、ダイオードＤ１と、抵抗Ｒ２１と、トランジスタスイッチＴＲと、二次電池４０ａとを備えている。
また、ダイオードＤ１、抵抗Ｒ２１及びトランジスタスイッチＴＲは、充電回路５０を構成する。
【００４３】
そして、携帯端末装置２ａの充電回路５０におけるダイオードＤ１での電圧の損失は、約０．１９Ｖであり、抵抗Ｒ２１での電圧の損失は、約０．０６Ｖであり、トランジスタスイッチＴＲでの電圧の損失は、約０．０５Ｖである。したがって、携帯端末装置２での損失を考慮し、充電装置１から携帯端末装置２に供給する電圧は、３．８Ｖ＋０．１９Ｖ＋０．０６Ｖ＋０．０５Ｖ＝４．１Ｖとなる。よって、二次電池の残量電圧が３．８Ｖとなるためには、携帯端末装置２での損失を考慮して、充電装置１から携帯端末装置２に供給する規定電圧を４．１Ｖにする必要がある。
【００４４】
次に、本実施形態の充電装置１により携帯端末装置２に充電を行う際の動作について説明する。
【００４５】
まず、複数の携帯端末装置２が接続部４に接続された状態において、ＣＰＵ１１は、接続部４に接続されている携帯端末装置２それぞれの二次電池４０の残量電圧を所定の時間Ｔごとに取得する。ＣＰＵ１１は、取得された二次電池４０それぞれの残量電圧に基づいて、残量電圧に関する所定の条件を満たす一の携帯端末装置２を決定する。
【００４６】
そして、ＣＰＵ１１は、決定した一の携帯端末装置２の二次電池４０と電力供給部３０とを電気的に接続して、一の携帯端末装置２の二次電池４０を、他の携帯端末装置２に優先して電力供給部３０により電力を供給させ、二次電池４０を充電する。
ここで、残量電圧に関する所定の条件を満たす携帯端末装置２は、ＣＰＵ１１により取得された二次電池４０の残量電圧のうち、最も低い残量電圧が取得された二次電池４０を有する携帯端末装置２であることが好ましい。
【００４７】
具体的には、例えば、複数の携帯端末装置２ａ，２ｂ，２ｃが接続部４ａ，４ｂ，４ｃに接続された状態において、ＣＰＵ１１は、セレクタ１７によりスイッチＳＷ１，ＳＷ２・・・ＳＷ１０のうちいずれか一つを順次ＯＮ状態にして、接続部４ａ，４ｂ，４ｃに接続されている携帯端末装置２ａ，２ｂ，２ｃそれぞれの二次電池４０ａ，４０ｂ，４０ｃの残量電圧を所定の時間Ｔごとに取得し、ＲＡＭ１２に記憶させる。
【００４８】
ＣＰＵ１１は、ＲＡＭ１２に記憶されている二次電池４０ａ，４０ｂ，４０ｃそれぞれの残量電圧を比較し、最も低い残量電圧が取得された二次電池４０を有する携帯端末装置２を、残量電圧に関する所定の条件を満たす一の携帯端末装置２であると決定する。
例えば、二次電池４０ａの残量電圧が最も低い場合には、ＣＰＵ１１は、二次電池４０ａを有する携帯端末装置２ａを、残量電圧に関する所定の条件を満たす一の携帯端末装置２であると決定する。
【００４９】
そして、ＣＰＵ１１は、決定した携帯端末装置２ａの二次電池４０ａと電力供給部３０とを電気的に接続して、携帯端末装置２ａの二次電池４０ａを、他の携帯端末装置２に優先して電力供給部３０により電力を供給させ、二次電池４０ａを充電する。
【００５０】
ＣＰＵ１１は、一旦二次電池４０ａの充電を開始した場合、二次電池４０ａが満充電（４．２Ｖ）や、規格電圧（４．１Ｖ）となるまで、連続して充電を行ってもよく、又は以下のような処理を行った後に、充電を行ってもよい。
【００５１】
すなわち、二次電池４０ａの充電を開始した後、ＣＰＵ１１は、所定期間Ｔが経過した場合、再び二次電池４０ａ，４０ｂ，４０ｃの残量電圧を所定の時間Ｔごとに取得し、ＲＡＭ１２に記憶させる。
【００５２】
次に、ＣＰＵ１１は、ＲＡＭ１２に記憶されている二次電池４０ａ，４０ｂ，４０ｃそれぞれの残量電圧を比較し、二次電池４０ｂの残量電圧が最も低い場合には、ＣＰＵ１１は、充電していた二次電池４０ａを有する携帯端末装置２ａではなく、二次電池４０ｂを有する携帯端末装置２ｂを、残量電圧に関する所定の条件を満たす一の携帯端末装置２であると決定する。
そして、ＣＰＵ１１は、決定した一の携帯端末装置２ｂの二次電池４０ｂと電力供給部３０とを電気的に接続して、一の携帯端末装置２ｂの二次電池４０ｂを、他の携帯端末装置２に優先して電力供給部３０により電力を供給させ、二次電池４０ｂを充電する。
【００５３】
このように第１実施形態の充電装置１によれば、ＣＰＵ１１は、所定の時間Ｔごとに取得された二次電池４０それぞれの残量電圧に基づいて、残量電圧に関する所定の条件を満たす一の携帯端末装置２を決定する。そして、ＣＰＵ１１は、決定した一の携帯端末装置２の二次電池４０と電力供給部３０とを電気的に接続して、一の携帯端末装置２の二次電池４０を、他の携帯端末装置２に優先して電力供給部３０により電力を供給させ、二次電池４０を充電する。これにより、充電装置１は、所定の期間Ｔごとに取得される二次電池４０それぞれの残量電圧に応じて、充電すべき携帯端末装置２を決定することができる。
【００５４】
したがって、充電装置１は、複数の携帯端末装置２の二次電池４０を均等な残量電圧に充電することができる。さらに、充電装置１は、１台で多数の携帯端末装置２を充電できるため、導入費用を抑えつつ、携帯端末装置２を効率良く充電することができる。
【００５５】
また、充電装置１は、残量電圧に関する所定の条件を満たす携帯端末装置２を、ＣＰＵ１１により取得された二次電池４０の残量電圧のうち、最も低い残量電圧が取得された二次電池４０を有する携帯端末装置２とする。このため、充電装置１は、より好適に複数の携帯端末装置２の二次電池４０を均等な残量電圧に充電することができる。
【００５６】
また、所定の期間Ｔは、二次電池４０の残量電圧が０Ｖから満充電となる時間よりも短い期間であることが好ましい。これにより、充電装置１は、より好適に複数の携帯端末装置２の二次電池４０を均等な残量電圧に充電することができる。
【００５７】
また、ＣＰＵ１１は、残量電圧に関する所定の条件を満たす一の携帯端末装置２に、当該一の携帯端末装置２が所定の機能を実行可能な電圧まで電力供給部３０により電力を供給させる。ここで、所定の機能を実行可能な電圧とは、例えば、上述したように、生徒が帰宅する際に必要となる電圧（３．８Ｖ）である。
【００５８】
すなわち、ＣＰＵ１１は、残量電圧に関する所定の条件を満たす一の携帯端末装置２に、上述した規定電圧４．１Ｖまで電力供給部３０により電力を供給することで、二次電池４０の残量電圧を、生徒が帰宅する際に必要となる電圧（３．８Ｖ）とすることができる。
【００５９】
また、ＣＰＵ１１は、残量電圧に関する所定の条件を満たす一の携帯端末装置２に、当該一の携帯端末装置２の二次電池４０が満充電になるまで電力供給部３０により電力を供給させてもよい。これにより、充電装置１は、残量電圧に関する所定の条件を満たす一の携帯端末装置２を満充電まで充電することができる。
【００６０】
さらに、ＣＰＵ１１は、複数の携帯端末装置２それぞれが接続部４に接続されてから接続が解除されるまでの時間と、ＣＰＵ１１により取得される複数の携帯端末装置２それぞれの二次電池４０の残量電圧とに基づいて、所定の期間Ｔを変更してもよい。
【００６１】
具体的には、ＲＯＭ１３には、予め生徒が下校する時刻が記憶されており、ＣＰＵ１１は、ＣＰＵ１１内に内蔵されるタイマ（図示せず）を用いて、複数の携帯端末装置２それぞれが接続部４に接続された時刻を取得する。次に、ＣＰＵ１１は、取得された時刻と、ＲＯＭ１３に記憶されている生徒が下校する時刻とから携帯端末装置２を充電可能な時間を算出する。
【００６２】
そして、ＣＰＵ１１は、充電可能な時間が予め設定された充電時間よりも短く、かつ、二次電池４０の残量電圧が、充電可能な時間内では規定電圧（４．１Ｖ）に到達しない場合には、所定の期間Ｔをより短い期間に変更する。
【００６３】
例えば、所定の期間Ｔが５分に設定されており、生徒が下校する時刻１５：００であり、予め設定された充電時間が６時間であり、携帯端末装置２ａが１１：００に接続部４に接続され、携帯端末装置２ａの残量電圧が２．０Ｖである場合について考える。この場合、ＣＰＵ１１は、携帯端末装置２ａが接続部４に接続された時刻１１：００を取得する。次に、ＣＰＵ１１は、取得された時刻１１：００と、ＲＯＭ１３に記憶されている生徒が下校する時刻１５：００とから携帯端末装置２ａを充電可能な時間を４時間であると算出する。
【００６４】
そして、ＣＰＵ１１は、充電可能な時間（４時間）が予め設定された充電時間（６時間）よりも短く、携帯端末装置２ａの残量電圧（２．０Ｖ）が規定電圧（４．１Ｖ）に到達しない場合には、所定の期間Ｔを５分から３分に変更する。
このように充電装置１は、所定期間Ｔをより短い期間に変更することで、複数の携帯端末装置２それぞれの残量電圧を取得する頻度が多くなるため、より好適に複数の携帯端末装置２の二次電池４０を均等な残量電圧に充電することができる。
【００６５】
また、ＣＰＵ１１は、残量電圧に関する所定の条件を満たす一の携帯端末装置２に、この一の携帯端末装置２が所定の機能を実行可能な電圧まで電力供給部３０により電力を供給させる標準モード（第１のモード）と、予め指定された指定期間（例えば、５時間）内において、所定の条件を満たす一の携帯端末装置２に電力供給部３０により電力を供給させる時間制限指定モード（第２のモード）と、所定の条件を満たす一の携帯端末装置２に、当該一の携帯端末装置２の二次電池４０が満充電になるまで電力供給部３０により電力を供給させる満充電指定モード（第３のモード）と、を設定可能に構成してもよい。
【００６６】
具体的には、ＣＰＵ１１は、スイッチ６が操作されることにより、標準モードと、時間制限指定モードと、満充電モードとのいずれか一つのモードを設定することができる。
これにより、充電装置１は、三つのモードのうちいずれか一つのモードを設定できるため、充電状況に応じたモードを設定することで、より適切に携帯端末装置２を充電することができる。
【００６７】
次に、図５から図７を参照しながら第１実施形態における標準モード、時間制限指定モード及び満充電モードにおける具体的な処理について説明する。
【００６８】
図５は、第１実施形態のＣＰＵ１１による標準モードの処理について示すフローチャートである。
ステップＳ１において、ＡＣアダプタ８が外部電源に接続されると、ＣＰＵ１１は、初期設定としてスイッチＳＷ１，ＳＷ２・・・ＳＷ１０を全てＯＮ状態とする。また、ＣＰＵ１１は、電流用増幅器１５によって、携帯端末装置２が接続部４に接続されたことの検出を電流用増幅器１５により開始する。
【００６９】
ステップＳ２において、ＣＰＵ１１は、電流用増幅器１５により電流の変化が検出されたか否か、すなわち、ＣＰＵ１１は、接続部４に携帯端末装置２が接続されたか否かを判定する。接続部４に携帯端末装置２が接続された場合（Ｙｅｓ）には、ステップＳ３へ移る。一方、接続部４に携帯端末装置２が接続されない場合（Ｎｏ）には、ステップＳ２の工程を繰り返す。
【００７０】
ステップＳ３において、ＣＰＵ１１は、接続部４に接続された携帯端末装置２の二次電池４０における残量電圧を取得する。具体的には、携帯端末装置２が接続部４に接続された状態において、ＣＰＵ１１は、セレクタ１７によりスイッチＳＷ１，ＳＷ２・・・ＳＷ１０のうちいずれか一つを順次ＯＮ状態にして、接続部４に接続されている携帯端末装置２それぞれの二次電池４０の残量電圧を所定の時間Ｔごとに取得し、ＲＡＭ１２に記憶させる。そして、ＣＰＵ１１は、取得した携帯端末装置２それぞれの二次電池４０の残量電圧に基づいて、電力を供給する携帯端末装置２の順番を決定する。
【００７１】
ステップＳ４において、ＣＰＵ１１は、取得された残量電圧のうち、規定電圧（４．１Ｖ）以下の残量電圧が存在するか否か判定する。規定電圧以下の残量電圧が存在する場合（Ｙｅｓ）には、ステップＳ５へ移る。一方、規定電圧以下の残量電圧が存在しない場合（Ｎｏ）には、ステップＳ３へ戻る。
【００７２】
ステップＳ５において、ＣＰＵ１１は、残量電圧を取得した二次電池４０のうち、電力を供給する二次電池４０の順序を、残量電圧の低い順に決定する。そして、ＣＰＵ１１は、スイッチＳＷ１，スイッチＳＷ２・・・ＳＷ１０のうち、最も低い残量電圧が取得された携帯端末装置２の二次電池４０に対応するいずれか一つのスイッチをＯＮ状態として、最も低い残量電圧が取得された携帯端末装置２の二次電池４０に対して電力供給部３０により電力の供給を開始する。
【００７３】
ステップＳ６において、ＣＰＵ１１は、電力供給部３０により電力を供給している携帯端末装置２の二次電池４０における残量電圧が規定電圧に到達したか否かを判定する。残量電圧が規定電圧に到達した場合（Ｙｅｓ）には、ステップＳ７へ移る。一方、残量電圧が規定電圧に到達しない場合（Ｎｏ）には、ステップＳ６の工程を繰り返す。
【００７４】
ステップＳ７において、ＣＰＵ１１は、ステップＳ５においてＯＮ状態としたスイッチをＯＦＦ状態に切り替えて、残量電圧が規定電圧に到達した二次電池４０に対する充電を停止する。
ステップＳ８において、ＣＰＵ１１は、規定電圧に到達した二次電池４０の次に残量電圧が低い二次電池４０に対して電力供給部３０により電力の供給を開始する。
【００７５】
ステップＳ９において、ＣＰＵ１１は、電力供給部３０により電力を供給している携帯端末装置２の二次電池４０における残量電圧が規定電圧に到達したか否かを判定する。残量電圧が規定電圧に到達した場合（Ｙｅｓ）には、ステップＳ１０へ移る。一方、残量電圧が規定電圧に到達しない場合（Ｎｏ）には、ステップＳ９の工程を繰り返す。
【００７６】
ステップＳ１０において、ＣＰＵ１１は、残量電圧が規定電圧に到達した二次電池４０に対する充電を停止する。そして、ＣＰＵ１１は、残量電圧が規定電圧に到達しない全ての二次電池４０の充電が完了すると、再びステップＳ２へ戻る。
このように、ＣＰＵ１１は、残量電圧が規定電圧に到達しない二次電池４０それぞれに対して順次電力供給部３０により電力を供給する。
【００７７】
図６は、第１実施形態のＣＰＵ１１による時間制限指定モードの処理について示すフローチャートである。
ステップＳ１１において、ＡＣアダプタ８が外部電源に接続されると、ＣＰＵ１１は、初期設定としてスイッチＳＷ１，ＳＷ２・・・ＳＷ１０を全てＯＮ状態とする。また、ＣＰＵ１１は、電流用増幅器１５によって、携帯端末装置２が接続部４に接続されたことの検出を電流用増幅器１５により開始する。
【００７８】
ステップＳ１２において、ＣＰＵ１１は、電流用増幅器１５により電流の変化が検出されたか否か、すなわち、ＣＰＵ１１は、接続部４に携帯端末装置２が接続されたか否かを判定する。接続部４に携帯端末装置２が接続された場合（Ｙｅｓ）には、ステップＳ１３へ移る。一方、接続部４に携帯端末装置２が接続されない場合（Ｎｏ）には、再度ステップＳ１２の工程を繰り返す。
【００７９】
ステップＳ１３において、ＣＰＵ１１は、接続部４に接続された携帯端末装置２の二次電池４０における残量電圧を取得する。
【００８０】
ステップＳ１４において、ＣＰＵ１１は、スイッチ６により時間制限指定モードが設定されているか否かを判定する。時間制限指定モードが設定されている場合（Ｙｅｓ）には、ステップＳ１５へ移る。一方、時間制限指定モードが設定されていない場合（Ｎｏ）には、ステップＳ１６へ移る。
【００８１】
ステップＳ１５において、ＣＰＵ１１は、取得された残量電圧のうち、規定電圧（４．１Ｖ）以下の残量電圧が存在するか否か判定する。規定電圧以下の残量電圧が存在する場合（Ｙｅｓ）には、ステップＳ１９へ移る。一方、規定電圧以下の残量電圧が存在しない場合（Ｎｏ）には、ステップＳ１５の工程を繰り返す。
【００８２】
ステップＳ１６において、ＣＰＵ１１は、スイッチ６により満充電指定モードが設定されているか否かを判定する。満充電指定モードが設定されている場合（Ｙｅｓ）には、ステップＳ１７へ移る。一方、満充電指定モードが設定されていない場合（Ｎｏ）には、ステップＳ１８へ移る。
ステップＳ１７において、ＣＰＵ１１は、満充電指定モードへ移行する。
ステップＳ１８において、ＣＰＵ１１は、標準モードへ移行する。
【００８３】
ステップＳ１９において、ＣＰＵ１１は、予め指定された指定期間（例えば、５時間）を、規定電圧以下の残量電圧となっている二次電池４０を有する携帯端末装置２の台数で除算し、一台の携帯端末装置２あたりの充電可能時間を算出する。そして、ＣＰＵ１１は、残量電圧を取得した二次電池４０のうち、電力を供給する二次電池４０の順番を、残量電圧の低い順に決定する。
【００８４】
ステップＳ２０において、ＣＰＵ１１は、スイッチＳＷ１，スイッチＳＷ２・・・ＳＷ１０のうち、最も低い残量電圧が取得された携帯端末装置２の二次電池４０に対応するいずれか一つのスイッチをＯＮ状態として、最も低い残量電圧が取得された携帯端末装置２の二次電池４０に対して電力供給部３０により電力の供給を開始する。
【００８５】
ステップＳ２１において、ＣＰＵ１１は、ステップＳ１９において算出した充電可能時間が経過したか否かを判定する。充電可能時間が経過した場合（Ｙｅｓ）には、ステップＳ２２へ移る。一方、充電可能時間が経過していない場合（Ｎｏ）には、ステップＳ２１の工程を繰り返す。
【００８６】
ステップＳ２２において、ＣＰＵ１１は、ステップＳ２０においてＯＮ状態としたスイッチをＯＦＦ状態に切り替えて、充電可能時間が経過した二次電池４０に対する充電を停止する。
ステップＳ２３において、ＣＰＵ１１は、スイッチＳＷ１，スイッチＳＷ２・・・ＳＷ１０のうち、充電可能時間が経過した二次電池４０の次に残量電圧が低い二次電池４０に対応するいずれか一つのスイッチをＯＮ状態として、二次電池４０に対して電力供給部３０により電力の供給を開始する。
【００８７】
ステップＳ２４において、ＣＰＵ１１は、ステップＳ１９において算出した充電可能時間が経過したか否かを判定する。充電可能時間が経過した場合（Ｙｅｓ）には、ステップＳ２３においてＯＮ状態としたスイッチをＯＦＦ状態に切り替えて、充電可能時間が経過した二次電池４０に対する充電を停止する。一方、充電可能時間が経過していない場合（Ｎｏ）には、ステップＳ２４の工程を繰り返す。そして、ＣＰＵ１１は、残量電圧が規定電圧に到達しない全ての二次電池４０の充電可能時間が経過すると、再びステップＳ１２へ戻る。
【００８８】
このように、ＣＰＵ１１は、残量電圧が規定電圧に到達しない二次電池４０それぞれに対して、充電可能時間が経過するまで順次電力供給部３０により電力を供給する。
【００８９】
図７は、第１実施形態のＣＰＵ１１による満充電指定モードの処理について示すフローチャートである。
【００９０】
ステップＳ３１において、ＡＣアダプタ８が外部電源に接続されると、ＣＰＵ１１は、初期設定としてスイッチＳＷ１，ＳＷ２・・・ＳＷ１０を全てＯＮ状態とする。また、ＣＰＵ１１は、電流用増幅器１５によって、携帯端末装置２が接続部４に接続されたことの検出を電流用増幅器１５により開始する。
【００９１】
ステップＳ３２において、ＣＰＵ１１は、電流用増幅器１５により電流の変化が検出されたか否か、すなわち、ＣＰＵ１１は、接続部４に携帯端末装置２が接続されたか否かを判定する。接続部４に携帯端末装置２が接続された場合（Ｙｅｓ）には、ステップＳ３３へ移る。一方、接続部４に携帯端末装置２が接続されない場合（Ｎｏ）には、再度ステップＳ３２の工程を繰り返す。
【００９２】
ステップＳ３３において、ＣＰＵ１１は、接続部４に接続された携帯端末装置２の二次電池４０における残量電圧を取得する。
ステップＳ３４において、ＣＰＵ１１は、スイッチ６により満充電指定モードが設定されているか否かを判定する。満充電指定モードが設定されている場合（Ｙｅｓ）には、ステップＳ３８へ移る。一方、満充電指定モードが設定されていない場合（Ｎｏ）には、ステップＳ３５へ移る。
【００９３】
ステップＳ３５において、ＣＰＵ１１は、スイッチ６により時間制限指定モードが設定されているか否かを判定する。時間制限指定モードが設定されている場合（Ｙｅｓ）には、ステップＳ３６へ移る。一方、時間制限指定モードが設定されていない場合（Ｎｏ）には、ステップＳ３７へ移る。
ステップＳ３６において、ＣＰＵ１１は、時間制限指定モードへ移行する。
ステップＳ３７において、ＣＰＵ１１は、標準モードへ移行する。
【００９４】
ステップＳ３８において、ＣＰＵ１１は、残量電圧を取得した二次電池４０のうち、電力を供給する二次電池４０の順番を、残量電圧の低い順に決定する。そして、ＣＰＵ１１は、決定した順番をＲＡＭ１２に記憶する。
【００９５】
ステップＳ３９において、ＣＰＵ１１は、スイッチＳＷ１，スイッチＳＷ２・・・ＳＷ１０のうち、最も低い残量電圧が取得された携帯端末装置２の二次電池４０に対応するいずれか一つのスイッチをＯＮ状態として、最も低い残量電圧が取得された携帯端末装置２の二次電池４０に対して電力供給部３０により電力の供給を開始する。
【００９６】
ステップＳ４０において、ＣＰＵ１１は、残量電圧が満充電に到達したか否かを判定する。残量電圧が満充電に到達した場合（Ｙｅｓ）には、ステップＳ４１へ移る。一方、残量電圧が満充電に到達していない場合（Ｎｏ）には、ステップＳ４０の工程を繰り返す。
【００９７】
ステップＳ４１において、ＣＰＵ１１は、ステップＳ３９においてＯＮ状態としたスイッチをＯＦＦ状態に切り替えて、残量電圧が満充電に到達した二次電池４０に対する充電を停止する。
ステップＳ４２において、ＣＰＵ１１はスイッチＳＷ１，スイッチＳＷ２・・・ＳＷ１０のうち、残量電圧が満充電に到達した二次電池４０の次に残量電圧が低い二次電池４０に対応するいずれか一つのスイッチをＯＮ状態として、残量電圧が満充電に到達した二次電池４０の次に残量電圧が低い二次電池４０に対して電力供給部３０により電力の供給を開始する。
【００９８】
ステップＳ４３において、ＣＰＵ１１は、残量電圧が満充電に到達したか否かを判定する。残量電圧が満充電に到達した場合（Ｙｅｓ）には、残量電圧が満充電に到達した二次電池４０に対する充電を停止する。一方、残量電圧が満充電に到達していない場合（Ｎｏ）には、ステップＳ４３の工程を繰り返す。そして、ＣＰＵ１１は、全ての二次電池４０の残量電圧が満充電に到達すると、再びステップＳ３２へ戻る。
【００９９】
このように、ＣＰＵ１１は、残量電圧が規定電圧に到達しない二次電池４０それぞれに対して、残量電圧が満充電に到達するまで順次電力供給部３０により電力を供給する。
【０１００】
＜第２実施形態＞
次に、本発明の充電装置の第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【０１０１】
第２実施形態の充電装置１ａは、第１実施形態の切替部２０に代えて、無線通信部５１により携帯端末装置と無線通信を行う点が第１実施形態とは異なる。
図８は、第２実施形態の充電装置１ａの内部構成を示すブロック図である。
図８に示すように、充電装置１ａは、接続部４（４ａ，４ｂ，４ｃ，・・・４ｊ）と、切り替えスイッチ６と、ＬＥＤ７ａ，７ｂ，７ｃと、ＡＣアダプタ８と、電源入力端子９と、コントロールＩＣ１０と、レギュレータ１９と、電流検出用抵抗Ｒｄと、無線通信部５１とを備える。
【０１０２】
接続部４（４ａ，４ｂ，４ｃ，・・・４ｊ）、切り替えスイッチ６、ＬＥＤ７ａ，７ｂ，７ｃ、ＡＣアダプタ８、電源入力端子９、コントロールＩＣ１０、レギュレータ１９及び電流検出用抵抗Ｒｄについては、第１実施形態と同様の構成であるため、説明を省略する。
【０１０３】
無線通信部５１は、アンテナ５２と、近距離無線ＩＣ５３と、を有する。無線通信部５１は、複数の携帯端末装置２と所定の無線規格（例えば、Ｂｌｕｅｔｏｏｔｈ（登録商標））に準拠して無線通信を行う。
【０１０４】
アンテナ５２は、所定の無線規格に準拠した周波数帯で複数の携帯端末装置２と通信を行う。
近距離無線ＩＣ５３は、アンテナ５２によって受信した信号を復調処理し、処理後の信号をＣＰＵ１１に供給する。また、近距離無線ＩＣ５３は、ＣＰＵ１１から供給された信号を変調処理し、アンテナ５２を介して携帯端末装置２に送信する。
【０１０５】
ＣＰＵ１１は、無線通信部５１により複数の携帯端末装置２それぞれにおける二次電池の残量電圧を所定の期間Ｔごとに取得する。ＣＰＵ１１は、取得された二次電池４０それぞれの残量電圧に基づいて、残量電圧に関する所定の条件を満たす一の携帯端末装置２を決定する。
【０１０６】
そして、ＣＰＵ１１は、決定した一の携帯端末装置２の二次電池４０と電力供給部３０とを電気的に接続して、一の携帯端末装置２の二次電池４０を、他の携帯端末装置２に優先して電力供給部３０により電力を供給させ、二次電池４０を充電する。
【０１０７】
具体的には、ＣＰＵ１１は、残量電圧に関する所定の条件を満たす一の携帯端末装置２が充電装置１本体により充電を行うための制御情報を、一の携帯端末装置２に無線通信部５１により送信する。携帯端末装置２は、無線通信部５１から送信された制御情報を通信部（図示せず）により受信する。そして、携帯端末装置２は、受信した制御情報に基づいて、充電回路５０におけるトランジスタスイッチＴＲ（図４参照）をＯＮ状態にすることで、充電装置１から二次電池４０に対して電力の供給が行われる。なお、無線通信部５１は、常時、複数の携帯端末装置２と無線通信を行ってもよく、又は間欠的に複数の携帯端末装置２と無線通信を行ってもよい。
【０１０８】
ここで、残量電圧に関する所定の条件は、ＣＰＵ１１により取得された二次電池４０の残量電圧のうち、最も低い残量電圧が取得された二次電池４０を有する携帯端末装置２であることが好ましい。
【０１０９】
このように第２実施形態の充電装置１ａは、無線通信部５１により二次電池４０の残量電圧を取得する。これにより、充電装置１ａは、残量電圧を容易に取得することができる。また、充電装置１ａは、所定の無線規格（例えば、Ｂｌｕｅｔｏｏｔｈ）に準拠した無線通信部５１により携帯端末装置２と無線通信を行うため、識別情報を予め登録することで、携帯端末装置２それぞれが異なる機種であっても、残量電圧や制御情報等の送受信を行うことができる。
【０１１０】
また、第２実施形態の充電装置１ａは、携帯端末装置２が充電装置１本体により充電を行うための制御情報を、一の携帯端末装置２に無線通信部５１により送信する。これにより、携帯端末装置２は、受信した制御情報に基づいて、トランジスタスイッチＴＲをＯＮ状態にすることで、充電装置１から二次電池４０に対して電力の供給が行われる。したがって、充電装置１ａは、第１実施形態の充電装置１における切替部２０の構成が不要となるため、充電装置１ａの構成を簡略化し、小型化を図ることができる。
【０１１１】
また、ＣＰＵ１１は、無線通信部５１により複数の携帯端末装置２それぞれと無線通信を行い、複数の携帯端末装置２それぞれにおけるユーザ情報を取得してもよい。この場合、ＣＰＵ１１は、取得されたユーザ情報に基づいて所定の期間Ｔを変更する。ここで、ユーザ情報とは、ユーザのスケジュール（生徒の登校時刻、下校時刻等）等をいう。
【０１１２】
具体的には、充電装置１ａにおいて、所定の期間Ｔが５分であり、生徒が下校する時刻が１５：００に設定され、取得されたユーザ情報に含まれる生徒の下校時刻が１３：００となっていた場合には、ＣＰＵ１１は、所定の期間Ｔを５分から３分へ変更する。
【０１１３】
このように充電装置１ａは、所定期間Ｔをより短い期間に変更することで、複数の携帯端末装置２それぞれの残量電圧を取得する頻度が多くなるため、ユーザ情報を用いて、より好適に複数の携帯端末装置２の二次電池４０を均等な残量電圧に充電することができる。
【０１１４】
また、ＣＰＵ１１は、取得されたユーザ情報に基づいて、電力供給部３０により電力を供給する携帯端末装置２を決定してもよい。
具体的には、充電装置１ａにおいて、所定の期間Ｔが５分であり、生徒が下校する時刻が１５：００に設定され、取得されたユーザ情報に含まれる生徒の下校時刻が１３：００となっていた場合には、ＣＰＵ１１は、ユーザ情報が取得された携帯端末装置２の二次電池４０に対して電力供給部３０により優先的に電力を供給する。
これにより、充電装置１ａは、ユーザ情報を用いて、より好適に複数の携帯端末装置２の二次電池４０を均等な残量電圧に充電することができる。
【０１１５】
また、ＣＰＵ１１は、接続部４と複数の携帯端末装置２との接続が解除された状態で、無線通信部５１により複数の携帯端末装置２それぞれにおける二次電池４０の残量電圧を所定の期間Ｔごとに取得する。ＣＰＵ１１は、取得された二次電池４０の残量電圧に基づいて、二次電池４０の残量電圧が所定の閾値Ｓを超えない一又は複数の携帯端末装置２を決定する。そして、ＣＰＵ１１は、決定した一又は複数の携帯端末装置２が所定の報知を行うための情報を、一又は複数の携帯端末装置２に無線通信部５１により送信してもよい。ここで、所定の閾値Ｓは、携帯端末装置２の残量電圧が、当該携帯端末装置２の機能が充分に発揮できなくなる程度の電圧となる値とすることが好ましい。
【０１１６】
残量電圧が所定の閾値Ｓを超えない一又は複数の携帯端末装置２は、無線通信部５１により送信された所定の報知を行うための情報を、通信部（図示せず）により受信する。そして、携帯端末装置２は、受信した所定の報知を行うための情報に基づいて、所定の報知（例えば、残量電圧が残り少ないことを示すメッセージを表示したり、音声を出力する、又は充電を促すメッセージを表示したり、音声出力する等）を行う。
【０１１７】
このため、充電装置１ａは、残量電圧が残り少なく、充電が必要な携帯端末装置２に対して所定の報知を行うための情報を送信することで、ユーザに対して充電を促すことができる。
【０１１８】
また、ＣＰＵ１１は、第１実施形態と同様に、残量電圧に関する所定の条件を満たす一の携帯端末装置２に、この一の携帯端末装置２が所定の機能を実行可能な電圧まで電力供給部３０により電力を供給させる標準モード（第１のモード）と、予め指定された指定期間内において、所定の条件を満たす一の携帯端末装置２に電力供給部３０により電力を供給させる時間制限指定モード（第２のモード）と、所定の条件を満たす一の携帯端末装置２に、この一の携帯端末装置２の二次電池４０が満充電になるまで電力供給部３０により電力を供給させる満充電指定モード（第３のモード）と、を設定可能である。
【０１１９】
次に、図９から図１１を参照しながら第２実施形態における標準モード、時間制限指定モード及び満充電指定モードにおける具体的な処理について説明する。なお、第２実施形態における標準モード、時間制限指定モード及び満充電指定モードでは、所定の無線規格において、充電装置１ａ（無線通信部５１）が携帯端末装置２それぞれを識別するための識別情報が、予めＲＡＭ１２に記憶（登録）されているものとする。
【０１２０】
図９は、第２実施形態のＣＰＵ１１による標準モードの処理について示すフローチャートである。
ステップＳ５１において、ＣＰＵ１１は、ＡＣアダプタ８が外部電源に接続されると、無線通信部５１による無線通信を開始する。また、ＣＰＵ１１は、電流用増幅器１５によって、携帯端末装置２が接続部４に接続されたことの検出を電流用増幅器１５により開始する。
【０１２１】
ステップＳ５２において、ＣＰＵ１１は、無線通信部５１により無線通信が可能なエリア内に、識別情報がＲＡＭ１２に登録されている携帯端末装置２が存在するか否かを判定する。登録されている携帯端末装置２が存在する場合（Ｙｅｓ）には、ステップＳ５３へ移る。一方、登録されている携帯端末装置２が存在しない場合（Ｎｏ）には、ステップＳ５２の工程を繰り返す。
【０１２２】
ステップＳ５３において、ＣＰＵ１１は、無線通信部５１により複数の携帯端末装置２それぞれにおける二次電池４０の残量電圧を取得する。
ステップＳ５４において、ＣＰＵ１１は、取得された残量電圧のうち、規定電圧（４．１Ｖ）以下の残量電圧が存在するか否か判定する。規定電圧以下の残量電圧が存在する場合（Ｙｅｓ）には、ステップＳ５５へ移る。一方、規定電圧以下の残量電圧が存在しない場合（Ｎｏ）には、ステップＳ５２の工程を繰り返す。
【０１２３】
ステップＳ５５において、ＣＰＵ１１は、残量電圧が規定電圧以下の携帯端末装置２に所定の報知を行うための情報を無線通信部５１により送信する。
ステップＳ５６において、ＣＰＵ１１は、電流用増幅器１５により電流の変化が検出されたか否か、すなわち、ＣＰＵ１１は、接続部４に携帯端末装置２が接続されたか否かを判定する。接続部４に携帯端末装置２が接続された場合（Ｙｅｓ）には、ステップＳ５７へ移る。一方、接続部４に携帯端末装置２が接続されない場合（Ｎｏ）には、再度ステップＳ５２へ戻る。
【０１２４】
ステップＳ５７において、ＣＰＵ１１は、１番目（最先）に接続部４に接続された携帯端末装置２のトランジスタスイッチＴＲをＯＮさせるための制御情報を携帯端末装置２に送信する。そして、携帯端末装置２のトランジスタスイッチＴＲをＯＮさせることにより、充電装置１ａは、１番目（最先）に接続部４に接続された携帯端末装置２の二次電池４０に対して電力供給部３０により電力を供給する。
【０１２５】
ステップＳ５８において、ＣＰＵ１１は、電力供給部３０により電力を供給している携帯端末装置２の二次電池４０における残量電圧が規定電圧に到達したか否かを判定する。残量電圧が規定電圧に到達した場合（Ｙｅｓ）には、ステップＳ５９へ移る。一方、残量電圧が規定電圧に到達しない場合（Ｎｏ）には、ステップＳ５８の工程を繰り返す。
【０１２６】
ステップＳ５９において、ＣＰＵ１１は、ステップＳ５７においてＯＮさせたトランジスタスイッチＴＲをＯＦＦさせるための制御情報を携帯端末装置２に送信する。そして、携帯端末装置２のトランジスタスイッチＴＲをＯＦＦさせることにより、充電装置１ａは、残量電圧が規定電圧に到達した二次電池４０に対する電力の供給を停止する。
【０１２７】
ステップＳ６０において、２番目（最先の次）に接続部４に接続された携帯端末装置２のトランジスタスイッチＴＲをＯＮさせるための制御情報を携帯端末装置２に送信する。そして、携帯端末装置２のトランジスタスイッチＴＲをＯＮさせることにより、充電装置１ａは、２番目に接続部４に接続された携帯端末装置２の二次電池４０に対して電力供給部３０により電力を供給する。
【０１２８】
ステップＳ６１において、ＣＰＵ１１は、電力供給部３０により電力を供給している携帯端末装置２の二次電池４０における残量電圧が規定電圧に到達したか否かを判定する。残量電圧が規定電圧に到達した場合（Ｙｅｓ）には、電力の供給を停止する。一方、残量電圧が規定電圧に到達しない場合（Ｎｏ）には、ステップＳ６１の工程を繰り返す。そして、ＣＰＵ１１は、残量電圧が規定電圧に到達しない全ての二次電池４０の充電が完了すると、再びステップＳ５２へ戻る。
【０１２９】
このように、ＣＰＵ１１は、残量電圧が規定電圧に到達しない二次電池４０それぞれに対して順次電力供給部３０により電力を供給する。
【０１３０】
図１０は、第２実施形態のＣＰＵ１１による時間制限指定モードの処理について示すフローチャートである。
ステップＳ７１において、ＣＰＵ１１は、ＡＣアダプタ８が外部電源に接続されると、無線通信部５１による無線通信を開始する。また、ＣＰＵ１１は、電流用増幅器１５によって、携帯端末装置２が接続部４に接続されたことの検出を電流用増幅器１５により開始する。
【０１３１】
ステップＳ７２において、ＣＰＵ１１は、無線通信部５１により無線通信が可能なエリア内に、識別情報がＲＡＭ１２に登録されている携帯端末装置２が存在するか否かを判定する。登録されている携帯端末装置２が存在する場合（Ｙｅｓ）には、ステップＳ７３へ移る。一方、登録されている携帯端末装置２が存在しない場合（Ｎｏ）には、ステップＳ７２の工程を繰り返す。
【０１３２】
ステップＳ７３において、ＣＰＵ１１は、スイッチ６により時間制限指定モードが設定されているか否かを判定する。時間制限指定モードが設定されている場合（Ｙｅｓ）には、ステップＳ７７へ移る。一方、時間制限指定モードが設定されていない場合（Ｎｏ）には、ステップＳ７４へ移る。
【０１３３】
ステップＳ７４において、ＣＰＵ１１は、スイッチ６により満充電指定モードが設定されているか否かを判定する。満充電指定モードが設定されている場合（Ｙｅｓ）には、ステップＳ７５へ移る。一方、満充電指定モードが設定されていない場合（Ｎｏ）には、ステップＳ７６へ移る。
ステップＳ７５において、ＣＰＵ１１は、満充電指定モードへ移行する。
ステップＳ７６において、ＣＰＵ１１は、標準モードへ移行する。
【０１３４】
ステップＳ７７において、ＣＰＵ１１は、無線通信部５１により複数の携帯端末装置２それぞれにおける二次電池４０の残量電圧を取得する。
ステップＳ７８において、ＣＰＵ１１は、取得された残量電圧のうち、規定電圧（４．１Ｖ）以下の残量電圧が存在するか否か判定する。規定電圧以下の残量電圧が存在する場合（Ｙｅｓ）には、ステップＳ７９へ移る。一方、規定電圧以下の残量電圧が存在しない場合（Ｎｏ）には、ステップＳ７２へ戻る。
【０１３５】
ステップＳ７９において、ＣＰＵ１１は、残量電圧が規定電圧以下の携帯端末装置２に所定の報知を行うための情報を無線通信部５１により送信する。
ステップＳ８０において、ＣＰＵ１１は、電流用増幅器１５により電流の変化が検出されたか否か、すなわち、ＣＰＵ１１は、接続部４に携帯端末装置２が接続されたか否かを判定する。接続部４に携帯端末装置２が接続された場合（Ｙｅｓ）には、ステップＳ８１へ移る。一方、接続部４に携帯端末装置２が接続されない場合（Ｎｏ）には、再度ステップＳ７２へ戻る。
【０１３６】
ステップＳ８１において、ＣＰＵ１１は、予め指定された指定期間（例えば、５時間）を、規定電圧以下の残量電圧となっている二次電池４０を有する携帯端末装置２の台数で除算し、一台の携帯端末装置２あたりの充電可能時間を算出する。
【０１３７】
ステップＳ８２において、ＣＰＵ１１は、１番目（最先）に接続部４に接続された携帯端末装置２のトランジスタスイッチＴＲをＯＮさせるための制御情報を携帯端末装置２に送信する。そして、携帯端末装置２のトランジスタスイッチＴＲをＯＮさせることにより、充電装置１ａは、１番目（最先）に接続部４に接続された携帯端末装置２の二次電池４０に対して電力供給部３０により電力を供給する。
【０１３８】
ステップＳ８３において、ＣＰＵ１１は、ステップＳ８２において算出した充電可能時間が経過したか否かを判定する。充電可能時間が経過した場合（Ｙｅｓ）には、ステップＳ８４へ移る。一方、充電可能時間が経過していない場合（Ｎｏ）には、ステップＳ８３の工程を繰り返す。
【０１３９】
ステップＳ８４において、ＣＰＵ１１は、ステップＳ５７においてＯＮさせたトランジスタスイッチＴＲをＯＦＦさせるための制御情報を携帯端末装置２に送信する。そして、携帯端末装置２のトランジスタスイッチＴＲをＯＦＦさせることにより、充電装置１ａは、充電可能時間が経過した二次電池４０に対する電力の供給を停止する。
【０１４０】
ステップＳ８５において、２番目（最先の次）に接続部４に接続された携帯端末装置２のトランジスタスイッチＴＲをＯＮさせるための制御情報を携帯端末装置２に送信する。そして、携帯端末装置２のトランジスタスイッチＴＲをＯＮさせることにより、充電装置１ａは、２番目に接続部４に接続された携帯端末装置２の二次電池４０に対して電力供給部３０により電力を供給する。
【０１４１】
ステップＳ８６において、ＣＰＵ１１は、ステップＳ８２において算出した充電可能時間が経過したか否かを判定する。充電可能時間が経過した場合（Ｙｅｓ）には、電力の供給を停止する。一方、充電可能時間が経過していない場合（Ｎｏ）には、ステップＳ８６の工程を繰り返す。そして、ＣＰＵ１１は、残量電圧が規定電圧に到達しない全ての二次電池４０の充電可能時間が経過すると、再びステップＳ７２へ戻る。
【０１４２】
このように、ＣＰＵ１１は、残量電圧が規定電圧に到達しない二次電池４０それぞれに対して、充電可能時間が経過するまで順次電力供給部３０により電力を供給する。
【０１４３】
図１１は、第２実施形態のＣＰＵ１１による満充電指定モードの処理について示すフローチャートである。
ステップＳ９１において、ＣＰＵ１１は、ＡＣアダプタ８が外部電源に接続されると、無線通信部５１による無線通信を開始する。また、ＣＰＵ１１は、電流用増幅器１５によって、携帯端末装置２が接続部４に接続されたことの検出を電流用増幅器１５により開始する。
【０１４４】
ステップＳ９２において、ＣＰＵ１１は、無線通信部５１により無線通信が可能なエリア内に、識別情報がＲＡＭ１２に登録されている携帯端末装置２が存在するか否かを判定する。登録されている携帯端末装置２が存在する場合（Ｙｅｓ）には、ステップＳ９３へ移る。一方、登録されている携帯端末装置２が存在しない場合（Ｎｏ）には、ステップＳ９２の工程を繰り返す。
【０１４５】
ステップＳ９３において、ＣＰＵ１１は、スイッチ６により満充電指定モードが設定されているか否かを判定する。満充電指定モードが設定されている場合（Ｙｅｓ）には、ステップＳ９７へ移る。一方、満充電指定モードが設定されていない場合（Ｎｏ）には、ステップＳ９４へ移る。
【０１４６】
ステップＳ９４において、ＣＰＵ１１は、スイッチ６により時間制限指定モードが設定されているか否かを判定する。時間制限指定モードが設定されている場合（Ｙｅｓ）には、ステップＳ９５へ移る。一方、時間制限指定モードが設定されていない場合（Ｎｏ）には、ステップＳ９６へ移る。
ステップＳ９５において、ＣＰＵ１１は、時間制限指定モードへ移行する。
ステップＳ９６において、ＣＰＵ１１は、標準モードへ移行する。
【０１４７】
ステップＳ９７において、ＣＰＵ１１は、無線通信部５１により複数の携帯端末装置２それぞれにおける二次電池４０の残量電圧を取得する。
ステップＳ９８において、ＣＰＵ１１は、取得した二次電池４０の残量電圧が満充電に未到達であるか否かを判定する。満充電に未到達である場合（Ｙｅｓ）には、ステップＳ９９へ移る。一方、満充電に未到達でない、つまり満充電である場合（Ｎｏ）には、ステップＳ９２へ戻る。
【０１４８】
ステップＳ９９において、ＣＰＵ１１は、残量電圧が規定電圧以下の携帯端末装置２に所定の報知を行うための情報を無線通信部５１により送信する。
ステップＳ１００において、ＣＰＵ１１は、電流用増幅器１５により電流の変化が検出されたか否か、すなわち、ＣＰＵ１１は、接続部４に携帯端末装置２が接続されたか否かを判定する。接続部４に携帯端末装置２が接続された場合（Ｙｅｓ）には、ステップＳ１０１へ移る。一方、接続部４に携帯端末装置２が接続されない場合（Ｎｏ）には、再度ステップＳ９２へ戻る。
【０１４９】
ステップＳ１０１において、ＣＰＵ１１は、１番目（最先）に接続部４に接続された携帯端末装置２のトランジスタスイッチＴＲをＯＮさせるための制御情報を携帯端末装置２に送信する。そして、携帯端末装置２のトランジスタスイッチＴＲをＯＮさせることにより、充電装置１ａは、１番目（最先）に接続部４に接続された携帯端末装置２の二次電池４０に対して電力供給部３０により電力を供給する。
【０１５０】
ステップＳ１０２において、ＣＰＵ１１は、残量電圧が満充電に到達したか否かを判定する。残量電圧が満充電に到達した場合（Ｙｅｓ）には、ステップＳ１０３へ移る。一方、残量電圧が満充電に到達していない場合（Ｎｏ）には、ステップＳ１０２の工程を繰り返す。
【０１５１】
ステップＳ１０３において、ＣＰＵ１１は、ステップＳ５７においてＯＮさせたトランジスタスイッチＴＲをＯＦＦさせるための制御情報を携帯端末装置２に送信する。そして、携帯端末装置２のトランジスタスイッチＴＲをＯＦＦさせることにより、充電装置１ａは、充電可能時間が経過した二次電池４０に対する電力の供給を停止する。
【０１５２】
ステップＳ１０４において、２番目（最先の次）に接続部４に接続された携帯端末装置２のトランジスタスイッチＴＲをＯＮさせるための制御情報を携帯端末装置２に送信する。そして、携帯端末装置２のトランジスタスイッチＴＲをＯＮさせることにより、充電装置１ａは、２番目に接続部４に接続された携帯端末装置２の二次電池４０に対して電力供給部３０により電力を供給する。
【０１５３】
ステップＳ１０５において、ＣＰＵ１１は、残量電圧が満充電に到達したか否かを判定する。残量電圧が満充電に到達した場合（Ｙｅｓ）には、電力の供給を停止する。一方、残量電圧が満充電に到達していない場合（Ｎｏ）には、ステップＳ１０５の工程を繰り返す。そして、ＣＰＵ１１は、全ての二次電池４０の充残量電圧が満充電に到達すると、再びステップＳ９２へ戻る。
【０１５４】
このように、ＣＰＵ１１は、残量電圧が規定電圧に到達しない二次電池４０それぞれに対して、残量電圧が満充電に到達するまで順次電力供給部３０により電力を供給する。
以上説明したように、充電装置１は、所定の期間Ｔごとに取得される二次電池４０それぞれの残量電圧に応じて、充電すべき携帯端末装置２を決定することができる。したがって、充電装置１は、複数の携帯端末装置２の二次電池４０を均等な残量電圧に充電することができる。
【０１５５】
以上、本発明の実施形態について説明したが、本発明は上述した実施形態に制限されるものではなく、適宜変更が可能である。例えば、上述した第２実施形態の充電装置１ａでは、切替部２０を有さない構成としたが、充電装置１ａが切替部２０を有する構成としてもよい。
【０１５６】
また、上述した第１及び第２実施形態に係る標準モード、時間制限指定モード及び満充電指定モードにおいては、一旦電力の供給を開始した二次電池４０に対しては、規定電圧、充電可能期間、又は満充電となるまで電力の供給を継続したが、本発明はこれに限らない。例えば、電力の供給中に所定の期間Ｔが経過して、残量電圧が再度取得された場合には、ＣＰＵ１１は、電力の供給を停止して、残量電圧を取得し、残量電圧に関する所定の条件を満たす二次電池４０を有する携帯端末装置２を再度決定する。そして、ＣＰＵ１１は、決定された二次電池４０（例えば、それまで電力を供給していた二次電池４０とは同一又は異なる二次電池４０）に対して電力を供給してもよい。
【符号の説明】
【０１５７】
１  充電装置
２  携帯端末装置
４  接続部
１１  ＣＰＵ（取得部、制御部）
３０  電力供給部
【図１】
2011155755.tif 000003
【図２】
2011155755.tif 000004
【図３】
2011155755.tif 000005
【図４】
2011155755.tif 000006
【図５】
2011155755.tif 000007
【図６】
2011155755.tif 000008
【図７】
2011155755.tif 000009
【図８】
2011155755.tif 000010
【図９】
2011155755.tif 000011
【図１０】
2011155755.tif 000012
【図１１】
2011155755.tif 000013